(57)【特許請求の範囲】
【請求項１】
情報を入力する入力手段と、
前記入力手段により入力された情報を表示する表示手段と、
情報を記憶する記憶手段と、
ユーザの生体認証を行う生体認証手段と、
前記入力手段により情報が入力され前記表示手段に表示された後、ユーザの入力を受け付けて起動される前記生体認証手段による前記ユーザの生体認証が有効である場合、前記表示手段に表示された秘匿すべき情報を前記ユーザの入力に従って前記記憶手段に記憶するように制御し、前記秘匿すべき情報が記憶された後、ユーザの入力を受け付けて起動される前記生体認証手段による前記ユーザの生体認証が有効である場合、ユーザの指示に従って前記記憶された情報を読み出すように制御する制御手段と、
を備えることを特徴とする情報端末装置。
【請求項２】
前記登録処理は、前記表示部に表示された情報の少なくとも一部が登録すべき情報として表示される登録情報編集画面を介して行なわれることを特徴とする請求項１に記載の情報端末装置。
【請求項３】
前記表示手段に伏字で表示された情報は、前記登録情報編集画面では平文で表示されることを特徴とする請求項２に記載の情報端末装置。
【請求項４】
情報を入力する入力手段と、情報を表示する表示手段と、情報を記憶する記憶手段と、ユーザの生体認証を行う生体認証手段と、制御手段と、を備える情報端末装置における秘匿情報管理方法であって、
前記入力手段により入力された情報を前記表示手段に表示し、
該情報が前記表示手段に表示された後、ユーザの入力を受け付けて前記生体認証手段を起動し、
起動された前記生体認証手段によって実行された前記ユーザの生体認証が有効である場合に前記表示手段に表示された秘匿すべき情報を前記ユーザの入力に従って前記記憶手段に記憶し、前記秘匿すべき情報が記憶された後、ユーザの入力を受け付けて起動される前記生体認証手段による前記ユーザの生体認証が有効である場合、ユーザの指示に従って前記記憶された情報を読み出す、秘匿情報管理方法。
【請求項５】
情報を入力する入力手段と、情報を表示する表示手段と、情報を記憶する記憶手段と、生体認証手段と、制御部とを備える情報端末装置を動作させるプログラムであって、
前記制御部に、
前記入力手段により入力された情報を前記表示手段によって表示する手順と、
該情報が前記表示手段に表示された後、ユーザの入力を受け付けて前記生体認証手段を起動する手順と、
起動された前記生体認証手段によって実行された前記ユーザの生体認証が有効である場合に
前記表示手段に表示された秘匿すべき情報を前記ユーザの入力に従って前記記憶手段に記憶し、前記秘匿すべき情報が記憶された後、ユーザの入力を受け付けて起動される前記生体認証手段による前記ユーザの生体認証が有効である場合、ユーザの指示に従って前記記憶された情報を読み出す手順と、
を実行させるプログラム。
【発明の詳細な説明】
【技術分野】
【０００１】
本発明は、秘匿情報を登録して使用できる携帯電話等の情報端末装置、秘匿情報管理方法及び秘匿情報管理プログラムに関する。
【背景技術】
【０００２】
携帯電話、携帯情報端末あるいはモバイルコンピュータのような情報端末装置の文字入力時に、以前に入力した文字列を再利用するために、入力された文字列を装置内の記憶手段に記憶しておき、後に入力するときには、記憶された文字列を呼び出すことが行われている。しかし、秘匿すべき重要情報を含む文字列は、単に記憶しておくだけでは、第三者に不正利用されるおそれがある。特にユーザＩＤや暗証番号などの個人情報も記憶しておき、これを読み出して利用できれば便利であるが、第三者の不正利用を許さないようにしなければならない。従来、第三者の不正利用を防止するために、秘匿すべき情報を暗号化して記憶しておくことが行われていた。しかしながら、暗号化及び暗号の解読のための暗証番号が必要で、暗証番号については、本人が覚えやすい番号は第三者に漏れやすく、第三者に漏れにくい番号は本人が忘れやすいというような問題がある。
【０００３】
なお、ウェブサイトにアクセスするためのパスワードの入力については、指紋認証などの生体認証を本人確認のために利用するものが知られている（特許文献１及び２参照）。特許文献１に記載の技術によると、ウェブサイトにアクセスする際に指紋認証を行って、パスワードデータメモリからＵＲＬ、パスワードなどを選択してウェブにアクセスし、またユーザによって入力されたＵＲＬ、パスワードなどは、パスワードデータメモリに記憶登録される。また、特許文献２に記載の技術によれば、特定サイトのＵＲＬとともに、ユーザＩＤ、パスワード及びユーザの指紋情報を記憶しておき、その後特定サイトのユーザ認証画面で、指紋認証装置から指紋を入力して本人確認することにより、ユーザＩＤやパスワードを表示して入力可能とする。
【０００４】
特許文献１又は２に記載の技術は、いずれもウェブ接続を簡単に行う目的で、生体認証とウェブ接続のためのパスワード記憶を用いるもので、一般的な文字列の入力に際して、秘匿すべき情報を登録して、後に読み出して再利用できるというものではなかった。
【特許文献１】特開２００１−１８８７５５号公報
【特許文献２】特開２００２−１６９７７９号公報
【発明の開示】
【発明が解決しようとする課題】
【０００５】
本発明は、上記の問題に鑑み、例えば文字列からなる情報を入力しているときに、秘匿すべき情報があれば秘匿すべき情報として登録して管理し、後にこの登録された情報を読み出すことができる情報端末装置、秘匿情報管理方法及び秘匿情報管理プログラムを提供することを目的とする。
【課題を解決するための手段】
【０００６】
上記目的を達成するために、本発明の一態様である情報端末装置は、情報を入力する入力手段と、前記入力手段により入力された情報を表示する表示手段と、情報を記憶する記憶手段と、ユーザの生体認証を行う生体認証手段と、前記入力手段により情報が入力され前記表示手段に表示された後、ユーザの入力を受け付けて起動される前記生体認証手段による前記ユーザの生体認証が有効である場合、前記表示手段に表示された秘匿すべき情報を前記ユーザの入力に従って前記記憶手段に記憶するように制御し、前記秘匿すべき情報が記憶された後、ユーザの入力を受け付けて起動される前記生体認証手段による前記ユーザの生体認証が有効である場合、ユーザの指示に従って前記記憶された情報を読み出すように制御する制御手段と、を備える。
【０００７】
また、前記登録処理は、前記表示部に表示された情報の少なくとも一部が登録すべき情報として表示される登録情報編集画面を介して行なわれるようにできる。
【０００８】
さらに、前記表示手段に伏字で表示された情報は、前記登録情報編集画面では平文で表示されるようにすることができる。
【０００９】
本発明の他の態様である秘匿情報管理方法は、情報を入力する入力手段と、情報を表示する表示手段と、情報を記憶する記憶手段と、ユーザの生体認証を行う生体認証手段と、制御手段と、を備える情報端末装置における秘匿情報管理方法であって、前記入力手段により入力された情報を前記表示手段に表示し、該情報が前記表示手段に表示された後、ユーザの入力を受け付けて前記生体認証手段を起動し、起動された前記生体認証手段によって実行された前記ユーザの生体認証が有効である場合に前記表示手段に表示された秘匿すべき情報を前記ユーザの入力に従って前記記憶手段に記憶し、前記秘匿すべき情報が記憶された後、ユーザの入力を受け付けて起動される前記生体認証手段による前記ユーザの生体認証が有効である場合、ユーザの指示に従って前記記憶された情報を読み出す。
【００１０】
本発明のさらに他の態様であるプログラムは、情報を入力する入力手段と、情報を表示する表示手段と、情報を記憶する記憶手段と、生体認証手段と、制御部とを備える情報端末装置を動作させるプログラムであって、前記制御部に、前記入力手段により入力された情報を前記表示手段によって表示する手順と、該情報が前記表示手段に表示された後、ユーザの入力を受け付けて前記生体認証手段を起動する手順と、起動された前記生体認証手段によって実行された前記ユーザの生体認証が有効である場合に前記表示手段に表示された秘匿すべき情報を前記ユーザの入力に従って前記記憶手段に記憶し、前記秘匿すべき情報が記憶された後、ユーザの入力を受け付けて起動される前記生体認証手段による前記ユーザの生体認証が有効である場合、ユーザの指示に従って前記記憶された情報を読み出す手順と、を実行させる。
【発明の効果】
【００１１】
本発明によると、情報入力時に秘匿情報として登録したい場合、その場で登録処理が可能で、かつ生体認証を行って登録かつ呼び出しを行うので秘匿性を高めることができる。また、タイトルを付与して登録するので、登録情報を呼び出して利用するにも便利である。
【発明を実施するための最良の形態】
【００１２】
以下、図面を参照して、本発明の実施の形態を説明するが、まず本実施形態の概要を説明する。
【００１３】
図１は、本発明の１実施形態である情報端末装置の概要を説明する図である。本実施形態の情報端末装置は、各種入力キーを含む操作手段２と、例えば液晶表示装置からなる各種情報を表示する表示手段３と、操作手段２からの入力を受けて各種制御を行う制御手段１と、各種データ、プログラム、アプリケーションなどを記憶する半導体メモリあるいはハードディスク装置のような記憶手段４と、指紋センサにより指紋情報を抽出する抽出機能と、記憶手段に記憶された指紋情報と指紋センサにより入力された指紋情報とを照合する照合機能を備える指紋認証手段５を備える。
【００１４】
本実施形態ではさらに、制御手段１にパスワード登録機能１１とパスワード読み出し機能を備えている。なお、本明細書では、パスワードとは、暗証番号のみを指すのではなく、ユーザの秘匿しておきたい情報一般を指す。ユーザが文字列を入力しているとき、ある文字列を秘匿情報として登録し管理したいと思うと、その文字列を、指紋認証を実行した後記憶手段４に登録し、また記憶手段から読み出す際にも指紋認証を実行して記憶手段４から読み出す。
【００１５】
本実施形態では、パスワードの登録機能あるいは読み出し機能を起動しようとするたびに、指紋認証を実行するように促し、指紋認証が有効であるときに初めてパスワードの登録又は読み出し機能を起動させる。したがって、確実にユーザ本人のみがパスワードを登録かつ使用できる。
【００１６】
図２は、本発明の具体的な１実施形態である携帯電話１０を示す図である。携帯電話１０は、本体１１と、本体１１に対して折りたたみ可能で、表示部１５を有する蓋体１２とからなる。本体１１は、その表面には、数字あるいは文字の入力あるいは各種の処理信号の入力のための操作キー１３を備え、さらに指紋センサ１４を備えている。キー１３のうち、蓋体１２を折り畳み可能に支持するヒンジ部に近い場所に配意されているキーは、各種操作に用いられるキーであり、例えば中央のキー１３ー１は通常、選択あるいは決定に使用するキーであり、キー１３ー２は、メニューを呼び出すキーとして使用される。また、キー１３−１の周囲の円環部も４方向スイッチとなっており、各種機能が割り当てられている。本例の指紋センサ１４は、センサ部分に指をすべらせてなぞるようにして指紋を入力する。また、本体１１の内部に情報処理部と、制御部と、記憶部と、指紋照合部などを備えている。
【００１７】
図２に示す携帯電話１０の操作キー１３、表示部１５、記憶部（図示せず）、及び指紋センサ１４と指紋照合部（図示せず）は、図１に示す操作手段２、表示手段３、記憶手段４及び指紋認証手段５に対応する。携帯電話１０におけるパスワード登録機能あるいはパスワード読み出し機能は、ソフトウェアであるパスワードマネージャで実現されている。
【００１８】
図３及び図４は、パスワードマネージャの基本機能を説明する図である。図３（ａ）〜（ｃ）は、携帯電話１０の表示部１５の画面を示す。パスワードマネージャは、例えばメニューの「設定」の下の「セキュリティ／ロック」の下に配置される。パスワードマネージャを立ち上げると、携帯電話１０の指紋認証機能が有効な場合は、図３（ａ）に示すような指紋認証を促す画面２１が表示される。ユーザはこれに従って、指紋センサ１４を使用して指紋認証を行う。携帯電話１０の指紋認証機能が有効になっていない場合は、「指紋認証が有効になっていません。パスワードマネージャは使用できません」と表示してメニューに戻る。
【００１９】
携帯電話１０の指紋認証機能が有効で、ユーザが実行した指紋認証により本人確認が行われると、図３（ｂ）に示す、パスワードマネージャのタイトル一覧の画面２２が表示される。図３（ｂ）では、パスワードは１件も登録されていないので、画面２２に１件も表示されない。タイトル一覧で操作可能なキーが、画面２２の下部に表示されている。以下の図においても、同様に画面下部には、操作可能なキーが表示される。また、本例では、パスワードマネージャは、最大５０件までのパスワードが登録できる仕様となっている。ただし、これは一例であって、パスワードの最大件数は５０件に限られることはなく、また最大件数を設定しなくてもよい。
【００２０】
図３（ｂ）の画面２２で、パスワードを登録するには、画面下部に表示されている「新規」に対応する操作キー（例えば、図１のキー１３−３）を押下する。これにより、図３（ｃ）のパスワード編集画面２３に移行し、任意のパスワードを入力して登録することができる。パスワード編集画面２３には、タイトルボックス２３−１とパスワードボックス２３−２とが表示される。パスワードの登録に当たっては、パスワードのインデックスとなるタイトルとともに登録する必要がある。パスワード登録のために任意の文字列を入力するためには、パスワードボックス２３−２にフォーカスして選択する（画面下部に表示された「選択」に対応するキー例えばキー１３−１を押下する）ことによって、フルスクリーンの文字列入力画面に移行して、入力可能となる。
【００２１】
この文字列入力画面は、携帯電話１０の文字列入力のためのフルスクリーンエディタの画面である。タイトルの入力の場合も同様で、タイトルボックス２３−１を選択して、文字列入力画面に移行して任意の文字列を入力する。なお、本実施形態では、文字入力は、文字列入力画面を介して行うが、パスワード編集画面の入力ボックスに直接文字列を入力可能にしてもよい。
【００２２】
図４に、タイトルとパスワードの入力されているパスワード編集画面２６とタイトル一覧画面２７との遷移の例を示す。タイトル及びパスワードの入力が終了したパスワード編集画面２６から、画面２６の下部に表示されている「登録」に対応する操作キー（例えば、図１のキー１３−２）を押下することによって、登録処理が開始する。具体的には、画面に「パスワードを登録しました」と表示され、その後２秒経過するか任意のキーが操作されることによって、タイトル一覧の画面２７に戻る。タイトル一覧画面２７には、登録したタイトル２７−１、２７−２が、数字キーによる入力で選択するためのショートカット番号を付与されて、表示される。なお、登録処理において、登録する場所をユーザが選択できるようにすることもできる。この場合には、「登録」に対応するキーを押下すると、タイトル一覧の画面に移行し、「登録する場所を決めてください」と表示して、登録する場所を決定するようにする。決定された場所が、未登録であれば、そのまま登録する。決定された場所に登録済みのタイトルがあれば、上書きの確認を行った後、登録する。
【００２３】
タイトル一覧の画面２７で、「選択」に対応するキーを押下すると、パスワード編集の画面２６に移行し、選択されたタイトルとそのパスワードが表示される。タイトルあるいはパスワードを変更あるいは修正する場合は、「選択」キーの押下により、フルスクリーンの文字入力画面２８に移行し、タイトルあるいはパスワードを編集することができる。図４の文字入力画面２８は、タイトルを選択してタイトルの編集を行う一例を示す。
【００２４】
また、タイトル一覧の画面２７で「ＭＥＮＵ」に対応するキーを押下することにより、図に示すようなプルダウンメニュー２８が表示され、「新規登録」、「１件削除」、「複数削除」、「全件削除」、「１つ上へ移動」、「１つ下へ移動」が実行可能となる。なお、新規登録は、タイトル一覧の画面下部に表示されている「新規」キーを押下することによっても実行できる。また、削除については、複数削除と全件削除時に確認メッセージを表示するようにしてもよい。「１つ上へ移動」あるいは「１つ下へ移動」のタイトルの移動については、よく使用するタイトルを上位に移動させる場合、あるいは関連するタイトルをまとめるような場合に使用される。
【００２５】
文字列入力画面で入力した文字列をすぐにパスワードとして登録したい場合は、以下に示すようにパスワードマネージャを利用することができ、簡便にパスワードの登録を行うことができる。
【００２６】
図５〜７により、携帯電話１０により金融機関のウェブに入るために必要な入力を行っている時に、その入力した文字列を秘匿情報として登録する動作を説明する。ここでは、暗証番号の入力を例にして説明するが、店番の入力でも口座名の入力でも、いずれの場合にもその文字列を登録できる。また、前述のようにウェッブ上での入力のみならず、メールなどの携帯電話の機能その他のアプリケーションを使用している場合でも入力された任意の文字列が登録可能である。
【００２７】
図５、６（ａ)〜（ｃ）の各図は、携帯電話１０の画面の変遷を示す。図５(ａ）に示すような金融機関のウェブ画面３１では、店番ボックス３１−１、口座ボックス３１−２、暗証番号ボックス３１−３に店番、口座、暗証番号をそれぞれ入力することが求められる。ボックス３１−１、３１−２に店番と口座を入力した後、暗証番号ボックス３１−３にフォーカスして暗証番号ボックス３１−３を選択すると、端末の画面５は、図２（ｂ）のように、文字入力画面３２に移行して、暗証番号とする文字列「1234567abcdefg」を入力することができる。文字入力画面３２の下部には、画面３２で使用できる操作キーが示されている。すなわち、選択のためのキーと、サブメニューを表示するためのキー「ＭＥＮＵ」とともに、記号、文字、絵文字を入力するためのキーが操作可能となっている。
【００２８】
文字入力画面３２で入力した暗証番号を登録しようとする場合、「ＭＥＮＵ」に対応するキーを押下することによりサブメニュー（図示せず）を表示して、パスワード登録を選択する。ここで、登録件数に最大件数が設定されていれば、登録件数がチェックされる。登録件数が最大件数に達していると、新規の登録はできないので、図６（ａ）に示すような警告文を表示する。ユーザがＯＫボタンを押下することにより、文字入力画面３２に戻る。また同様に指紋設定の有無がチェックされる。指紋の設定が行われていないと指紋認証を行うことができないので、端末の画面に図６（ｂ）に示すような警告文を表示する。ユーザがＯＫボタンを押下することにより、文字入力画面３２に戻る。
【００２９】
ユーザにより指紋の設定がされ、かつ登録件数も最大件数に達していない場合、図５（ｃ）に示すように、文字入力画面３２に、開始位置を指定するように促す表示がされる。これに従い、図５（ｃ）では、登録すべき文字列の開始位置を決定する場合は、画面下部に表示されている「始点」に対応する本体キーを押下してその処理を実行する。また、文字入力画面に表示されているすべての文字列を登録する場合は、全選択に対応するボタンを押下すればよい。
【００３０】
図５（ｃ）で、登録すべき文字列の開始位置を指定すると、図７(ａ)に示すように、文字入力画面３２で、終了位置を指定することを促すように表示される。「終点」に対応するキーを押下することにより、登録すべき文字列の終点を指定することができる。文末まで指定する場合は、画面５の下部に表示される「文末」に対応するキーを押下すればよい。このようにして、終了位置が確定し、記録すべき文字列が決定すると、図７（ｂ）の画面３３に進み、指紋認証を行うように促される。そこで、ユーザは、指紋設定した指を指紋センサ１４に接触させ、指紋認証を行う。なお、ユーザの指紋認証は、本例のように登録すべき文字列の指定を終了した段階で行ってもよいが、これに代えて文字列の指定の開始直前、すなわち図５（ｂ）で、ユーザにより指紋の設定がされ、かつ登録件数も最大件数に達していない場合に指紋認証を行うようにしてもよい。
【００３１】
ユーザの指紋認証が有効と判断されると、図７（ｃ）に示すパスワードマネージャの編集画面３４が立ち上がる。パスワードマネージャの編集画面には、文字入力画面３２で指定した登録すべきパスワードが、パスワードボックス３４−２に表示されている。パスワードボックス３４−２に表示されているパスワードでよければ、タイトルボックス３４−１にタイトルを入力する。パスワードボックス３４−２に表示されているパスワードを変更・修正したい場合は、パスワードボックス３４−２にフォーカスして、画面上の「選択」に対応するキーを押下することによって、図４の文字列入力画面２８と同様の文字列入力画面に移行して、そこで編集作業が可能である。編集が終了すると、「選択」によってパスワードマネージャの編集画面に戻ることができる。その際には、パスワードの欄には編集後のパスワードが表示される。タイトルボックス３４−１にタイトルを入力するには、同様にタイトルボックスにフォーカスして、「選択」により、文字列入力画面に移行し、この文字列入力画面によりタイトルを入力する。
【００３２】
パスワードとタイトルの入力が終了すれば、画面下部の右に表示される「登録」に対応するキーを押下すれば登録処理が開始する。なお、パスワードとタイトルの少なくとも１つが未入力の状態で「登録」キーが押下されると、パスワードあるいはタイトルの未入力を警告表示して、登録処理を行なわない。登録場所の指定を含む登録処理が終了すると、画面に「パスワードを登録しました」というメッセージを表示し、任意のキー操作あるいは２秒経過により、パスワード登録処理の開始直前の画面である図５（ｂ）の画面３２に戻る。さらに図５（ｂ）の画面３２で「選択」キーを押下することにより、図５（ａ）の画面３２に所望の暗証番号が入力される。なお、パスワード登録時には、パスワードを暗号化して登録することもできる。暗号化の処理は登録処理として行なわれるので、ユーザに負担をかけることはない。当然のことながら、読み出す場合は、暗号は解読されて平文で読み出されることになる。
【００３３】
図８(ａ)〜（ｃ）は、図５(ａ)に示すウェッブ画面の暗証番号入力に際して、伏字でしか入力できない場合の登録動作を示す。図８(ａ)は、図５(ｂ)に対応する暗証番号入力を行う文字入力画面４１を示す。図に示すように、入力された文字がすべて伏字となっている。この状態で図８(ａ）の画面４１上の「ＭＥＮＵ」に対応するキーを押下してサブメニューを表示して、パスワード登録を選択する。ここで、図５（ｂ）を参照して説明したのと同様に、最大登録件数と指紋設定の有無がチェックされる。すなわち、登録件数が最大登録件数に達している場合あるいは指紋設定がされていない場合、図６（ａ）あるいは（ｂ）に示す警告を表示して、登録処理に入らない。
【００３４】
指紋設定がされていて、登録件数も最大件数に達していない場合には、図８（ｂ）に示す指紋認証画面４２に移行する。ユーザの指紋認証が有効と判断されると、図８（ｃ）に示すパスワードマネージャの編集画面４３が立ち上がる。パスワードマネージャの編集画面４３には、図８(ａ)の文字入力画面で伏字で入力されたパスワードが、伏字が復元された状態すなわち平文でパスワードボックスに表示される。これにより、入力したパスワードを確認して登録できる。指紋認証を実行してユーザが本人であることを確認しているので、伏字のパスワードを平文で表示しても不正使用されるおそれはない。その後、このパスワードでよければ、タイトルをつけて登録することになるが、その登録処理及びさらに編集を行う場合などの編集処理は、図７（ｃ）で説明したとおりである。
【００３５】
次に、文字入力画面で、登録済みの文字列を呼び出して利用する場合の動作を説明する。図９(ａ)は、ある金融機関のウェブ上の画面５１を示す。パスワードとして登録されている暗証番号を、暗証番号ボックス５１−１に入力する場合、暗証番号入力のために、ボックス５１−１を選択して、図９（ｂ）に示す文字入力画面５２に移行する。次に、記録されている登録番号を呼び出すために、画面下部の「ＭＥＮＵ」に対応するキーを押圧しサブメニュー（図示せず）を表示し、パスワード呼び出しを選択する。なお、１件も登録されていない場合は、サブメニューのパスワード呼び出しはグレイアウトされている。
【００３６】
その結果、図９（ｃ）に示すように、指紋認証画面が立ち上がり、指紋認証を促す。そこで、ユーザは、指紋設定した指を指紋センサ４に接触させ、指紋認証を行う。指紋認証が有効であると、図１０(ａ)に示すような、パスワードマネージャのタイトル一覧が表示される。そこで、選択するタイトルにフォーカスした後「選択」キーを押下して、暗証番号が必要な対象を選択する。選択するタイトルにフォーカスするには、移動キーを用いてもよいが、タイトルの先頭に付与されているショートカット番号を数字キーで指定してもよい。
【００３７】
ショートカット番号の２番を指定してフォーカスして、「参照」キーを押下すると、パスワード参照画面５５に移動し、２番の証券会社の暗証番号が、図１０（ｂ）に示すようにパスワード参照の画面５５に表示される。これで間違いなければ、「選択」を押下する。すると図１０（ｃ）に示すように、求める暗証番号が入力された文字入力画面５６に移行する。文字入力画面５６で「選択」に対応するキーを押下することにより、図９（ａ）の暗証番号ボックス５１−３に暗証番号が入力される。なお、図１０(ａ)のタイトル一覧の画面で、番号２を指定し、「選択」に対応するキーを押下すると、図１０（ｂ）のパスワード参照の画面を介さず、直接図１０（ｃ）の文字入力画面に移行する。
【００３８】
なお、本例では、ウェブ画面の入力だけではなく、例えばメールの文字入力時にも対応できるように、文字入力画面５２、５６を介して登録パスワードを呼び出すようにしている。しかしながら、ウェブ画面の入力の場合には、文字入力画面５２、５６を介すことなく、図９（ａ）のウェブ画面５１からすぐに指紋認証画面に移行できるようにし、さらに図１０（ａ）のパスワードマネージャのタイトル一覧の画面５４からタイトルを選択することによって、図９（ａ）のウェブ画面５１に、パスワードとして登録された暗証番号を入力できるようにするようにしてもよい。
【００３９】
ここでは、暗証番号で説明したが、店番号、口座番号も同様にしてパスワードマネージャにより登録してあれば、読み出してきて入力することができる。さらに、店番号、口座番号、暗証番号を一括して登録して、一括して入力するようにもできる。
【００４０】
以上説明した実施形態では、指紋認証を用いて本人確認を行ったが、指紋認証以外の生体認証を用いてもよい。すなわち、瞳の虹彩、網膜、筆跡、顔形、掌形、耳介、声紋、静脈などを用いた生体認証を用いることができる。
【００４１】
さらに、登録する情報は、文字、記号、絵文字などの文字列として説明したが、テキストデータに限らず、イメージデータも登録できるようにすることもできる。また、英数のみが入力可能である画面では、全角文字が入った文字列を選択できないようにすることもできる。
【００４２】
以上のように、本実施形態によると、情報を入力している場合に、指紋認証を実行してその情報を秘匿情報として登録でき、また登録情報を利用するときにも指紋認証による本人確認を行うので、第三者の不正利用を確実に防止できる。
【００４３】
以上説明した本発明の態様は、以下のとおりである。
（付記１）
情報を表示する表示手段と、
タイトルが付与された情報を記憶する情報記憶手段と、
前記表示手段に表示された情報の少なくとも一部にタイトルを付与して前記情報記憶手段に登録する登録処理と、前記情報記憶手段から情報を呼び出す呼び出し処理を制御する情報制御手段と、
ユーザの生体認証のための生体認証手段とを備え、
前記情報制御手段による前記登録処理又は前記呼び出し処理の起動に際して、前記ユーザの生体認証を実行し、該ユーザの生体認証が有効な場合に前記登録処理又は前記呼出処理が起動することを特徴とする情報端末装置。
（付記２）
前記登録処理は、前記表示部に表示された情報の少なくとも一部が登録すべき情報として表示される登録情報編集画面を介して行なわれることを特徴とする付記１に記載の情報端末装置。
（付記３）
前記表示部に表示された情報の少なくとも一部を選択することにより、前記情報制御手段が起動されることを特徴とする付記３に記載の情報端末装置。
（付記４）
前記登録すべき情報へのタイトルの付与は、前記登録情報編集画面において行われることを特徴とする付記２又は３に記載の情報端末装置。
（付記５）
前記表示手段に伏字で表示された情報は、前記登録情報編集画面では平文で表示されることを特徴とする付記２〜４のいずれか１項に記載の情報端末装置。
（付記６）
前記呼び出し処理時には、前記タイトルの一覧画面が前記表示部に表示されることを特徴とする付記５に記載の情報端末装置。
（付記７）
前記情報は、文字列であることを特徴とする付記１〜５のいずれか１項に記載の情報端末装置。
（付記８）
前記生体認証は、指紋認証であることを特徴とする付記１〜６のいずれか１項に記載の情報端末装置。
（付記９）
表示手段に表示された情報の少なくとも一部にユーザがタイトルを付与するステップと、
前記タイトルを付与された情報を登録する登録ステップと、
前記登録された情報を呼び出す呼び出しステップと、
前記登録ステップ又は前記呼び出しステップに進む前に、ユーザに生体認証を実行させるステップとを有し、
前記ユーザの生体認証が有効である場合に、前記登録ステップ又は前記呼び出しステップに進む、
ことを特徴とする秘匿情報管理方法。
（付記１０）
表示手段に表示された情報の少なくとも一部にユーザにタイトルを付与させるためのタイトル付与機能と、
前記タイトルを付与された情報を登録する登録機能と、
前記登録された情報を呼び出す呼び出し機能と、
前記登録機能又は前記呼び出し機能を働かせる際に、ユーザに生体認証を実行させる機能と、
前記ユーザの生体認証が有効である場合に、前記登録機能又は前記呼び出し機能を働かせる機能と、
をコンピュータに実現させることを特徴とする秘匿情報管理プログラム。
【図面の簡単な説明】
【００４４】
【図１】本発明の実施形態の概要を説明する図である。
【図２】本発明を実施する携帯電話を示す図である。
【図３】（ａ）〜（ｃ）は、本発明の実施形態のパスワードマネージャの基本動作を説明する図（その１）である。
【図４】（ａ）〜（ｃ）は、パスワードマネージャの基本動作を説明する図（その２）である。
【図５】（ａ）〜（ｃ）は、パスワードマネージャのパスワード登録動作を説明する図（その１）である。
【図６】（ａ）〜（ｂ）は、パスワードマネージャを立ち上げないときの警告文を示す図である。
【図７】（ａ）〜（ｃ）は、パスワードマネージャのパスワード登録動作を説明する図（その２）である。
【図８】（ａ）〜（ｃ）は、パスワードマネージャの伏字パスワードの登録動作を説明する図である。
【図９】（ａ）〜（ｃ）は、パスワードマネージャのパスワード読み出し動作を説明する図（その１）である。
【図１０】（ａ）〜（ｃ）は、パスワードマネージャのパスワード読み出し動作を説明する図（その２）である。
【符号の説明】
【００４５】
１０    携帯電話
１１    本体
１２    蓋体
１３−１〜３    キー
１４    指紋センサ
１５    表示部
【図１】
0004833712.tif 000002
【図２】
0004833712.tif 000003
【図３】
0004833712.tif 000004
【図４】
0004833712.tif 000005
【図５】
0004833712.tif 000006
【図６】
0004833712.tif 000007
【図７】
0004833712.tif 000008
【図８】
0004833712.tif 000009
【図９】
0004833712.tif 000010
【図１０】
0004833712.tif 000011